(57)【特許請求の範囲】
【請求項１】
ＵＥが二重接続状態である場合に免許不要スペクトル能力を報告するためのＵＥであって、前記ＵＥは、
前記ＵＥの免許不要スペクトル能力パラメータを前記ＵＥのサービング基地局に報告するように構成された報告モジュールを具備し、
前記免許不要スペクトル能力パラメータは、前記ＵＥによりサポートされる免許不要スペクトルに関する情報を示すために使用され、前記情報は、前記ＵＥによりサポートされる免許不要スペクトルのリストと、各免許不要スペクトルの最大帯域幅値とを具備し、
前記二重接続状態は、前記ＵＥが２つ以上の基地局により同時にサーブされている状態であることを特徴とするＵＥ。
【請求項２】
前記報告モジュールは、アップリンクＲＲＣメッセージを使用して、前記免許不要スペクトル能力パラメータを前記サービング基地局に送信するか、ＭＡＣレイヤメッセージを使用して、前記免許不要スペクトル能力パラメータを前記サービング基地局に送信するか、又はＰＨＹレイヤメッセージを使用して、前記免許不要スペクトル能力パラメータを前記サービング基地局に送信するようにさらに構成されていることを特徴とする請求項１に記載のＵＥ。
【請求項３】
前記報告モジュールは、
前記ＵＥによりサポートされ得るサービングセルにより同時に使用され得る免許不要スペクトルの数量、前記ＵＥによりサポートされ得るサービングセルにより同時に使用され得る免許不要スペクトル及び免許されたスペクトルの数量、前記ＵＥによりサポートされ得るサービングセルにより使用され得る免許不要スペクトルのスペクトル範囲、前記ＵＥによりサポートされ得るサービングセルにより使用され得る免許不要スペクトル及び免許されたスペクトルのスペクトル範囲、又は前記ＵＥによりサポートされ得るサービングセルにより使用され得るデュプレックス・モード、の１つ又は複数を具備する免許不要スペクトル能力パラメータを報告するようにさらに構成されていることを特徴とする請求項１に記載のＵＥ。
【請求項４】
免許不要スペクトル能力を報告するための基地局であって、前記基地局は、
ＵＥにより送信された免許不要スペクトル能力パラメータを受信するように構成された受信モジュールと、
前記免許不要スペクトル能力パラメータに従って、前記ＵＥのために、免許不要スペクトルサービングセルを設定するように構成された設定モジュールと、
を具備し、
前記基地局は、通知モジュールをさらに具備し、
前記受信モジュールは、前記ＵＥが二重接続状態である場合には、前記ＵＥにより送信された前記免許不要スペクトル能力パラメータを受信することと、第２基地局により送信された設定情報を受信することと、を行うようにさらに構成され、
前記設定モジュールは、受信した前記免許不要スペクトル能力パラメータに従って、前記ＵＥのための免許不要スペクトルセルを設定するようにさらに構成され、
前記通知モジュールは、前記ＵＥが、前記基地局及び前記第２基地局により設定される前記免許不要スペクトルセルを使用して、データ送信を実行できるように、免許不要スペクトル能力パラメータを前記第２基地局に送信し、前記ＵＥのために前記基地局及び前記第２基地局により別々に設定される前記免許不要スペクトルセルを前記ＵＥに通知するように構成されており、
前記二重接続状態とは、前記ＵＥが２つ以上の基地局により同時にサーブされている状態であることをさし、
前記設定情報とは、前記第２基地局が受信した前記免許不要スペクトル能力パラメータに従って、前記ＵＥのために設定する免許不要スペクトルセルに関する情報をさす、
ことを特徴とする基地局。
【請求項５】
前記設定モジュールは、
選択ユニットであって、
前記免許不要スペクトル能力パラメータ内の免許不要スペクトルリストに従って、前記免許不要スペクトルリスト内の少なくとも１つのスペクトルを選択すること、及び／又は、
スクリーニングにより、選択された免許不要スペクトル内であり、かつ帯域幅値が前記免許不要スペクトル能力パラメータ内の免許不要スペクトルの最大帯域幅値以下である免許不要スペクトルを取得すること、及び／又は、
前記ＵＥによりサポートされ得るサービングセルにより同時に使用され得る免許不要スペクトルの数量に従って、及び前記ＵＥによりサポートされ得る前記サービングセルにより同時に使用され得る免許不要スペクトル及び免許されたスペクトルの数量に従って、適切な免許不要スペクトルの数量を選択すること、及び／又は、
前記ＵＥによりサポートされ得る前記サービングセルにより使用され得る免許不要スペクトルのスペクトル範囲に従って、及び前記ＵＥによりサポートされ得る前記サービングセルにより使用され得る免許不要スペクトル及び免許されたスペクトルのスペクトル範囲に従って、適切なスペクトル範囲を有する免許不要スペクトルを選択すること、及び／又は、
前記ＵＥによりサポートされ得る前記サービングセルにより使用され得るデュプレックス・モードに従って、適切なデュプレックス・モードを選択すること、
の一つ又は複数を実行するように構成された、選択ユニットと、
選択された前記免許不要スペクトルを前記ＵＥのセカンダリセルとして決定し、前記セカンダリセルを、前記ＵＥの前記免許不要スペクトルサービングセルとして設定するように構成された設定ユニットと、
をさらに具備し、
前記数量は、前記免許不要スペクトル能力パラメータ内にあり、
前記スペクトル範囲は、前記免許不要スペクトル能力パラメータ内にあり、
前記デュプレックス・モードは、前記免許不要スペクトル能力パラメータ内にある、ことを特徴とする請求項４に記載の基地局。
【請求項６】
ＵＥが二重接続状態である場合に免許不要スペクトル能力を報告するための方法であって、前記方法は、
ユーザ装置（ＵＥ）により、免許不要スペクトル能力パラメータを、前記ＵＥのサービング基地局に報告するステップ
を具備し、
前記免許不要スペクトル能力パラメータは、前記ＵＥによりサポートされる免許不要スペクトルに関する情報を示すために使用され、前記情報は、前記ＵＥによりサポートされる免許不要スペクトルのリストと、各免許不要スペクトルの最大帯域幅値とを具備し、
前記二重接続状態は、前記ＵＥが２つ以上の基地局により同時にサーブされている状態であることを特徴とする方法。
【請求項７】
免許不要スペクトル能力パラメータを、前記ＵＥのサービング基地局に報告する前記ステップは、
前記ＵＥにより、アップリンクＲＲＣメッセージを使用して、前記免許不要スペクトル能力パラメータを前記サービング基地局に送信するステップ、又は、
前記ＵＥにより、ＭＡＣレイヤメッセージを使用して、前記免許不要スペクトル能力パラメータを前記サービング基地局に送信するステップ、又は、
前記ＵＥにより、ＰＨＹレイヤメッセージを使用して、前記免許不要スペクトル能力パラメータを前記サービング基地局に送信するステップ、
を具備することを特徴とする請求項６に記載の方法。
【請求項８】
前記免許不要スペクトル能力パラメータは、
前記ＵＥによりサポートされ得るサービングセルにより同時に使用され得る免許不要スペクトルの数量、前記ＵＥによりサポートされ得るサービングセルにより同時に使用され得る免許不要スペクトル及び免許されたスペクトルの数量、前記ＵＥによりサポートされ得るサービングセルにより使用され得る免許不要スペクトルのスペクトル範囲、前記ＵＥによりサポートされ得るサービングセルにより使用され得る免許不要スペクトル及び免許されたスペクトルのスペクトル範囲、又は前記ＵＥによりサポートされ得るサービングセルにより使用され得るデュプレックス・モード、
の１つ又は複数をさらに具備することを特徴とする請求項６に記載の方法。
【請求項９】
免許不要スペクトル能力を報告するための方法であって、前記方法は、
基地局により、ＵＥにより送信された免許不要スペクトル能力パラメータを受信するステップと、前記免許不要スペクトル能力パラメータに従って、前記ＵＥのために免許不要スペクトルサービングセルを設定するステップと、
を具備し、
前記基地局により、前記免許不要スペクトル能力パラメータに従って、前記ＵＥのために免許不要スペクトルサービングセルを設定する前記ステップは、
前記ＵＥが二重接続状態である場合には、前記ＵＥの主基地局により、前記ＵＥにより送信された前記免許不要スペクトル能力パラメータを受信するステップと、
前記主基地局により、受信した前記免許不要スペクトル能力パラメータに従って、前記ＵＥのために免許不要スペクトルセルを設定するステップと、前記免許不要スペクトル能力パラメータを第２基地局に送信するステップと、
前記第２基地局により送信された設定情報を、主基地局により、受信するステップと、
前記ＵＥが、前記主基地局及び前記第２基地局により設定される前記免許不要スペクトルセルを使用して、データ送信を実行できるように、前記ＵＥのために前記主基地局及び前記第２基地局により別々に設定される前記免許不要スペクトルセルを、前記主基地局により、前記ＵＥに通知するステップと、
をさらに具備し、
前記二重接続状態とは、前記ＵＥが２つ以上の基地局により同時にサーブされている状態をさし、
前記設定情報は、前記第２基地局が受信した前記免許不要スペクトル能力パラメータに従って、前記ＵＥのために設定する免許不要スペクトルセルに関する情報をさす、ことを特徴とする方法。
【請求項１０】
前記基地局により、前記免許不要スペクトル能力パラメータに従って、前記ＵＥのために免許不要スペクトルサービングセルを設定する前記ステップは、
前記基地局により、前記免許不要スペクトル能力パラメータ内の免許不要スペクトルリストに従って、前記免許不要スペクトルリスト内の少なくとも１つのスペクトルを選択するステップ、及び／又は、
前記基地局により、前記免許不要スペクトル能力パラメータ内の免許不要スペクトルの最大帯域幅値以下となるように、選択された前記免許不要スペクトルの帯域幅値を設定するステップ、及び／又は、
前記基地局により、前記ＵＥによりサポートされ得るサービングセルにより同時に使用され得る免許不要スペクトルの数量に従って、及び前記ＵＥによりサポートされ得る前記サービングセルにより同時に使用され得る免許不要スペクトル及び免許されたスペクトルの数量に従って、適切な免許不要スペクトルの数量を選択するステップ、及び／又は、
前記基地局により、前記ＵＥによりサポートされ得る前記サービングセルにより使用され得る免許不要スペクトルのスペクトル範囲に従って、及び前記ＵＥによりサポートされ得る前記サービングセルにより使用され得る免許不要スペクトル及び免許されたスペクトルのスペクトル範囲に従って、適切なスペクトル範囲を有する免許不要スペクトルを選択するステップ、及び／又は、
前記基地局により、前記ＵＥによりサポートされ得る前記サービングセルにより使用され得るデュプレックス・モードに従って、適切なデュプレックス・モードを選択するステップ、及び、
前記基地局により、前記ＵＥのセカンダリセルとして前記選択された前記免許不要スペクトルを決定するステップと、前記セカンダリセルを、前記ＵＥの前記免許不要スペクトルサービングセルとして設定するステップ、
を具備し、
前記数量は、前記免許不要スペクトル能力パラメータ内にあり、
前記スペクトル範囲は、前記免許不要スペクトル能力パラメータ内にあり、
前記デュプレックス・モードは、前記免許不要スペクトル能力パラメータ内にある、
ことを特徴とする請求項９に記載の方法。
【発明の詳細な説明】
【技術分野】
【０００１】
本発明は広帯域アクセス技術に関連し、具体的には、免許不要スペクトル能力を報告するための方法及び装置に関する。
【背景技術】
【０００２】
現在、多くの国において、固定スペクトル割り当てポリシーがスペクトル管理のために使用されている。政府部門が公認の認定されたユーザへのスペクトルを管理し割り当てており、運営者は、購入することによりスペクトルのセグメントの使用権利を取得する。厳密に制限され、保護されたスペクトルは免許された(licensed)スペクトルと呼ばれている。しかし、免許されたスペクトルの帯域幅は、非常に限られており、ユーザのモバイル・ブロードバンド上の要求の増加のため、免許されたスペクトルリソースはこの要求に最早対応できない。しかし、大量の免許不要の(unlicensed)スペクトルリソースが効率的に利用されていない。したがって、モバイル・ブロードバンド・サービスのさらなる要求を満たすために、免許不要スペクトルリソースを効果的に使用するように、免許不要スペクトルにＬＴＥ(Long-term Evolution, ロング・ターム・エボリューション)デバイスを適用することが運営者によるスペクトルリソース利用の開発トレンドとなっている。免許不要スペクトルリソース利用の一実現可能なソリューションは、免許不要スペクトルを使用して、ＬＴＥ基地局がＬＴＥユーザ装置とデータ通信を実行できるように、ＬＴＥユーザ装置のためにＬＴＥ基地局デバイスにより免許不要スペクトルが設定され、ＬＴＥユーザ装置のScell(Secondary Cell, セカンダリセル)として使用されることである。
【０００３】
しかし、ＬＴＥ基地局デバイスが、ユーザ装置のために、免許不要スペクトルリソースを直接設定する場合には、ユーザ装置がユーザ装置に割り当てられたスペクトルリソースを使用することができない場合が生じ得る。
【発明の概要】
【課題を解決するための手段】
【０００４】
本発明の実施形態は、ＬＴＥ基地局デバイスがユーザ装置のために免許不要スペクトルリソースを直接設定する場合には、ユーザ装置がユーザ装置に割り当てられたスペクトルリソースを使用できないということが生じ得、これにより、ユーザ装置のデータ送信性能に悪影響を与えるという問題を解決する、免許不要スペクトル能力を報告するための方法及び装置を提供する。
【０００５】
上記目的を達成するため、以下の技術的ソリューションが本発明の実施形態において採用されている。
【０００６】
第１の態様によると、本発明の実施形態は、免許不要スペクトル能力を報告するためのＵＥを提供し、前記ＵＥは、
前記ＵＥの免許不要スペクトル能力パラメータを前記ＵＥのサービング基地局に報告するように構成された報告モジュールを含み、前記免許不要スペクトル能力パラメータは、前記ＵＥによりサポートされる免許不要スペクトルに関する情報を示すために使用され、前記情報は、前記ＵＥによりサポートされる免許不要スペクトルのリストと、各免許不要スペクトルの最大帯域幅値とを含む。
【０００７】
第１の態様に関連し、第１の可能な実施様式において、前記報告モジュールは、アップリンクＲＲＣメッセージを使用して、前記免許不要スペクトル能力パラメータを前記サービング基地局に送信するか、ＭＡＣレイヤメッセージを使用して、前記免許不要スペクトル能力パラメータを前記サービング基地局に送信するか、又はＰＨＹレイヤメッセージを使用して、前記免許不要スペクトル能力パラメータを前記サービング基地局に送信するようにさらに構成されている。
【０００８】
第１の態様の第２の可能な実施様式に関連し、第３の可能な実施様式において、前記報告モジュールは、前記ＵＥによりサポートされ得るサービングセルにより同時に使用され得る免許不要スペクトルの数量、前記ＵＥによりサポートされ得るサービングセルにより同時に使用され得る免許不要スペクトル及び免許されたスペクトルの数量、前記ＵＥによりサポートされ得るサービングセルにより使用され得る免許不要スペクトルのスペクトル範囲、前記ＵＥによりサポートされ得るサービングセルにより使用され得る免許不要スペクトル及び免許されたスペクトルのスペクトル範囲、又は前記ＵＥによりサポートされ得るサービングセルにより使用され得るデュプレックス・モード、の１つ又は２つを含んでいる免許不要スペクトル能力パラメータを報告するようにさらに構成されている。
【０００９】
第２の態様によると、本発明は、免許不要スペクトル能力を報告するための基地局をさらに提供し、
前記ＵＥにより送信された免許不要スペクトル能力パラメータを受信するように構成された受信モジュールと、
前記免許不要スペクトル能力パラメータに従って、前記ＵＥのために、免許不要スペクトルサービングセルを設定するように構成された設定モジュールと、
を含む。
【００１０】
前記第２の態様に関連し、第１の可能な実施様式において、前記設定モジュールは、
前記免許不要スペクトル能力パラメータ内の免許不要スペクトルリストに従って、前記免許不要スペクトルリスト内の少なくとも１つのスペクトルを選択すること、及び／又は、スクリーニングにより、選択された前記免許不要スペクトル内であり、かつ帯域幅値が 前記免許不要スペクトル能力パラメータ内の免許不要スペクトルの最大帯域幅値以下である免許不要スペクトルを取得すること、及び／又は、前記ＵＥによりサポートされ得るサービングセルにより同時に使用され得る免許不要スペクトルの数量に従って、及び前記ＵＥによりサポートされ得る前記サービングセルにより同時に使用され得る免許不要スペクトル及び免許されたスペクトルの数量に従って、適切な免許不要スペクトルの数量を選択することであって、前記数量は、前記免許不要スペクトル能力パラメータ内にある、選択すること、及び／又は、前記ＵＥによりサポートされ得る前記サービングセルにより使用され得る免許不要スペクトルのスペクトル範囲に従って、及び前記ＵＥによりサポートされ得る前記サービングセルにより使用され得る免許不要スペクトル及び免許されたスペクトルのスペクトル範囲に従って、適切なスペクトル範囲を有する免許不要スペクトルを選択することであって、前記スペクトル範囲は、前記免許不要スペクトル能力パラメータ内にある、選択すること、及び／又は、前記ＵＥによりサポートされ得る前記サービングセルにより使用され得るデュプレックス・モードに従って、適切なデュプレックス・モードを選択することであって、前記デュプレックス・モードは、前記免許不要スペクトル能力パラメータ内にある、選択すること、
の１つ又は複数を実行するように構成された選択ユニットと、
選択された前記免許不要スペクトルを前記ＵＥのセカンダリセルとして決定し、前記セカンダリセルを、前記ＵＥの前記免許不要スペクトルサービングセルとして設定するように構成された設定ユニットと、
をさらに含む。
【００１１】
第２の態様の第１の可能な実施様式に関連し、第２の可能な実施様式において、前記基地局は、通知モジュールをさらに含み、
前記受信モジュールは、前記ＵＥが二重接続状態である場合には、前記ＵＥにより送信された前記免許不要スペクトル能力パラメータを受信することであって、前記二重接続状態とは、前記ＵＥが２つ以上の基地局により同時にサーブされている状態であることをさす、受信することと、前記第２基地局により送信された設定情報を受信することであって、前記設定情報とは、前記第２基地局が受信した前記免許不要スペクトル能力パラメータに従って、前記ＵＥのために設定する免許不要スペクトルセルに関する情報をさす、受信することと、
前記設定モジュールは、受信した前記免許不要スペクトル能力パラメータに従って、前記ＵＥのための免許不要スペクトルセルを設定するようにさらに構成され、
前記通知モジュールは、前記ＵＥが、前記主基地局及び前記第２基地局により設定される前記免許不要スペクトルセルを使用して、データ送信を実行できるように、前記免許不要スペクトル能力パラメータを前記第２基地局に送信し、前記ＵＥのために前記主基地局及び前記第２基地局により別々に設定される前記免許不要スペクトルセルの前記ＵＥに通知するように構成されている。
【００１２】
第３の態様によると、本発明の実施形態は、免許不要スペクトル能力を報告するための方法を提供し、
ユーザ装置（ＵＥ）により、免許不要スペクトル能力パラメータを、前記ＵＥのサービング基地局に報告するステップ
を含み、
前記免許不要スペクトル能力パラメータは、前記ＵＥによりサポートされる免許不要スペクトルに関する情報を示すために使用され、前記情報は、前記ＵＥによりサポートされる免許不要スペクトルのリストと、各免許不要スペクトルの最大帯域幅値とを含む。
【００１３】
前記第３の態様に関連し、第３の態様の第１の可能な実施様式において、免許不要スペクトル能力パラメータを、前記ＵＥのサービング基地局に報告する前記ステップは、
前記ＵＥにより、アップリンクＲＲＣメッセージを使用して、前記免許不要スペクトル能力パラメータを前記サービング基地局に送信するステップ、又は、
前記ＵＥにより、ＭＡＣレイヤメッセージを使用して、前記免許不要スペクトル能力パラメータを前記サービング基地局に送信するステップ、又は、
前記ＵＥにより、ＰＨＹレイヤメッセージを使用して、前記免許不要スペクトル能力パラメータを前記サービング基地局に送信するステップ、
を含む。
【００１４】
第３の態様の第１の可能な実施様式に関連し、第２の可能な実施様式において、前記免許不要スペクトル能力パラメータは、
前記ＵＥによりサポートされ得るサービングセルにより同時に使用され得る免許不要スペクトルの数量、前記ＵＥによりサポートされ得るサービングセルにより同時に使用され得る免許不要スペクトル及び免許されたスペクトルの数量、前記ＵＥによりサポートされ得るサービングセルにより使用され得る免許不要スペクトルのスペクトル範囲、前記ＵＥによりサポートされ得るサービングセルにより使用され得る免許不要スペクトル及び免許されたスペクトルのスペクトル範囲、又は、前記ＵＥによりサポートされ得るサービングセルにより使用され得るデュプレックス・モード
の１つ又は複数をさらに含む。
【００１５】
第４の態様によると、本発明の実施形態は、免許不要スペクトル能力を報告するための方法を提供し、前記方法は、
基地局により、前記ＵＥにより送信された免許不要スペクトル能力パラメータを受信するステップと、前記免許不要スペクトル能力パラメータに従って、前記ＵＥのために免許不要スペクトルサービングセルを設定するステップと、
を含む。
【００１６】
前記第４の態様に関連し、第４の態様の第１の可能な実施様式において、基地局により、前記免許不要スペクトル能力パラメータに従って、前記ＵＥのために免許不要スペクトルサービングセルを設定する前記ステップは、
前記基地局により、前記免許不要スペクトル能力パラメータ内の免許不要スペクトルリストに従って、前記免許不要スペクトルリスト内の少なくとも１つのスペクトルを選択するステップ、及び／又は、
前記基地局によるスクリーニングにより、選択された前記免許不要スペクトル内であり、かつ帯域幅値が前記免許不要スペクトル能力パラメータ内の免許不要スペクトルの最大帯域幅値以下である免許不要スペクトルを取得するステップ、及び／又は、
前記基地局により、前記ＵＥによりサポートされ得るサービングセルにより同時に使用され得る免許不要スペクトルの数量に従って、及び前記ＵＥによりサポートされ得る前記サービングセルにより同時に使用され得る免許不要スペクトル及び免許されたスペクトルの数量に従って、適切な免許不要スペクトルの数量選択するステップであって、前記数量は、前記免許不要スペクトル能力パラメータ内にある、選択するステップ、及び／又は、
前記基地局により、適前記ＵＥによりサポートされ得る前記サービングセルにより使用され得る免許不要スペクトルのスペクトル範囲に従って、及び前記ＵＥによりサポートされ得る前記サービングセルにより使用され得る免許不要スペクトル及び免許されたスペクトルのスペクトル範囲に従って、切なスペクトル範囲を有する免許不要スペクトルを選択するステップであって、前記スペクトル範囲は、前記免許不要スペクトル能力パラメータ内にある、選択するステップ、及び／又は、
前記基地局により、前記ＵＥによりサポートされ得る前記サービングセルにより使用され得るデュプレックス・モードに従って、適切なデュプレックス・モードを選択するステップであって、前記デュプレックス・モードは、前記免許不要スペクトル能力パラメータ内にある、選択するステップ、
前記基地局により、選択された前記免許不要スペクトルを前記ＵＥのセカンダリセルとして決定するステップと、前記セカンダリセルを前記ＵＥの前記免許不要スペクトルサービングセルとして設定するステップと、
を含む。
【００１７】
第４の態様の第１の可能な実施様式に関連し、第２の可能な実施様式において、前記免許不要スペクトル能力パラメータに従って、前記ＵＥのために免許不要スペクトルサービングセルを設定する前記ステップは、
前記ＵＥが二重接続状態である場合には、前記ＵＥの主基地局により、前記ＵＥにより送信された前記免許不要スペクトル能力パラメータを受信するステップであって、前記二重接続状態とは、前記ＵＥが２つ以上の基地局により同時にサーブされている状態にあることをさす、受信するステップと、
前記主基地局により、受信した前記免許不要スペクトル能力パラメータに従って、前記ＵＥのために免許不要スペクトルセルを設定するステップと、前記免許不要スペクトル能力パラメータを第２基地局に送信するステップと、
前記主基地局により、前記第２基地局により送信された設定情報を受信するステップであって、前記設定情報とは、前記第２基地局が受信した前記免許不要スペクトル能力パラメータに従って、前記ＵＥのために設定する免許不要スペクトルセルに関する情報をさす、受信するステップと、
前記ＵＥが、前記主基地局及び前記第２基地局により設定される前記免許不要スペクトルセルを使用して、データ送信を実行できるように、前記主基地局により、前記ＵＥのために前記主基地局及び前記第２基地局により別々に設定される前記免許不要スペクトルセルの前記ＵＥに通知するステップと、
をさらに含む。
【００１８】
本発明の実施形態において提供される免許不要スペクトル能力を報告するための方法において、ＵＥのサービング基地局が、受信した免許不要スペクトル能力パラメータに従って、ＵＥのために免許不要スペクトルリソースを設定できるように、ＵＥは、ＵＥによりサポートされ得る免許不要スペクトルのリストと、各免許不要スペクトルの最大帯域幅をＵＥのサービング基地局に送信する。したがって、基地局は、異なるＵＥによりサポートされ得る免許不要スペクトル能力に従って免許不要スペクトルリソースを設定可能であり、基地局がユーザ装置のために直接免許不要スペクトルリソースを設定することを回避し、ＬＴＥ基地局デバイスがユーザ装置のために免許不要スペクトルリソースを直接設定する場合には、ユーザ装置がユーザ装置に割り当てられたスペクトルリソースを使用できないということが生じ得、これにより、ユーザ装置のデータ送信性能に悪影響を与えるという問題を解決する。
【００１９】
本発明の実施形態における、または従来技術における技術的ソリューションをより明瞭に説明するために、以下に、それらの実施形態、または従来技術を説明するのに必要な添付の図面を簡単に概説する。明らかに、以下の説明における添付の図面は、本発明のいくつかの実施形態を示すに過ぎず、当業者は、創造的な取り組みなしに、添付の図面に従って他の図面をさらに得ることができる。
【図面の簡単な説明】
【００２０】
【図１】図１は、本発明の実施形態による免許不要スペクトル能力を報告するためのＵＥの概略的な装置構成図である。
【図２】図２は、本発明の実施形態による免許不要スペクトル能力を報告するための基地局の概略的な装置構成図である。
【図３】図３は、本発明の実施形態による免許不要スペクトル能力を報告するための基地局の概略的な装置構成図である。
【図４】図４は、本発明の実施形態による免許不要スペクトル能力を報告するための方法のフローチャートである。
【図５】図５は、本発明の実施形態による免許不要スペクトルを設定するための方法のフローチャートである。
【図６】図６は、本発明の実施形態による免許不要スペクトルを設定するための他の方法のフローチャートである。
【発明を実施するための形態】
【００２１】
以下では、本発明の実施形態における添付の図面を参照しながら、本発明の実施形態における技術的ソリューションをより明確にかつ完全に説明する。説明される実施形態は、本発明の実施形態のすべてではなく、単にいくつかの実施形態を示すものにすぎないことは明らかである。本発明の実施形態に基づき当業者が創造的な取り組み無しに得られる他のすべての実施形態は、本発明の保護範囲に含まれるものとする。
【００２２】
本発明は、免許不要スペクトル能力を報告するためのＵＥを提供する。図１に示されているように、ＵＥは、図４に示されている方法の処理を実施するように構成されており、ＵＥは、
ＵＥの免許不要スペクトル能力パラメータをＵＥのサービング基地局に報告する報告モジュール１１
を含み、
免許不要スペクトル能力パラメータは、ＵＥによりサポートされる免許不要スペクトルに関する情報を示すために使用され、情報は、ＵＥによりサポートされる免許不要スペクトルのリストと、各免許不要スペクトルの最大帯域幅値とを含んでいる。
【００２３】
加えて、報告モジュール１１は、アップリンクＲＲＣメッセージを使用して、免許不要スペクトル能力パラメータをサービング基地局に送信するか、又はＭＡＣレイヤメッセージを使用して、免許不要スペクトル能力パラメータをサービング基地局に送信するか、又はＰＨＹレイヤメッセージを使用して、免許不要スペクトル能力パラメータをサービング基地局に送信するようにさらに構成されている。
【００２４】
加えて、報告モジュール１１は、ＵＥによりサポートされ得るサービングセルにより同時に使用され得る免許不要スペクトルの数量、ＵＥによりサポートされ得るサービングセルにより同時に使用され得る免許不要スペクトル及び免許されたスペクトルの数量、ＵＥによりサポートされ得るサービングセルにより使用され得る免許不要スペクトルのスペクトル範囲、ＵＥによりサポートされ得るサービングセルにより使用され得る免許不要スペクトル及び免許されたスペクトルのスペクトル範囲、又はＵＥによりサポートされ得るサービングセルにより使用され得るデュプレックス・モード、の１つ又は複数を含んでいる免許不要スペクトル能力パラメータを報告するようにさらに構成されている。
【００２５】
本発明の他の実施形態は、免許不要スペクトル能力を報告するための基地局を提供する。図２及び図３に示されているように、基地局は、図５又は図６に示されている方法の処理を実施するように構成されており、基地局は、
ＵＥにより送信された免許不要スペクトル能力パラメータを受信するように構成された受信モジュール２１と、
免許不要スペクトル能力パラメータに従って、ＵＥのために、免許不要スペクトルサービングセルを設定するように構成された設定モジュール２２と、
を含む。
【００２６】
加えて、設定モジュール２２は、
選択ユニット２３であって、
免許不要スペクトル能力パラメータ内の免許不要スペクトルリストに従って、免許不要スペクトルリスト内の少なくとも１つのスペクトルを選択すること、スクリーニングにより、選択された免許不要スペクトル内であり、かつ帯域幅値が免許不要スペクトル能力パラメータ内の免許不要スペクトルの最大帯域幅値以下である免許不要スペクトルを取得すること、ＵＥによりサポートされ得るサービングセルにより同時に使用され得る免許不要スペクトルの数量に従って、及びＵＥによりサポートされ得るサービングセルにより同時に使用され得る免許不要スペクトル及び免許されたスペクトルの数量に従って、適切な免許不要スペクトルの数量を選択することであって、数量は、免許不要スペクトル能力パラメータ内にある、選択すること、ＵＥによりサポートされ得るサービングセルにより使用され得る免許不要スペクトルのスペクトル範囲に従って、及びＵＥによりサポートされ得るサービングセルにより使用され得る免許不要スペクトル及び免許されたスペクトルのスペクトル範囲に従って、適切なスペクトル範囲を有する免許不要スペクトルを選択することであって、スペクトル範囲は、免許不要スペクトル能力パラメータ内にある、選択すること、又はＵＥによりサポートされ得るサービングセルにより使用され得るデュプレックス・モードに従って、適切なデュプレックス・モードを選択することであって、デュプレックス・モードは、免許不要スペクトル能力パラメータ内にある、選択すること、
の１つ又は複数を実行するように構成された選択ユニット２３と、
選択された免許不要スペクトルをＵＥのセカンダリセルとして決定し、セカンダリセルを、ＵＥの免許不要スペクトルサービングセルとして設定する設定ユニット２４と、
をさらに含む。
【００２７】
加えて、基地局は、通知モジュール２５をさらに含み、
受信モジュール２１は、ＵＥが二重接続状態である場合には、ＵＥにより送信された免許不要スペクトル能力パラメータを受信することであって、二重接続状態とは、ＵＥが２つ以上の基地局により同時にサーブされている状態をさす、受信することと、第２基地局により送信された設定情報を受信することであって、設定情報とは、第２基地局がＵＥのために受信した免許不要スペクトル能力パラメータに従って設定する免許不要スペクトルセルに関する情報をさす、受信することと、をするようにさらに構成され、
設定モジュール２２は、受信した免許不要スペクトル能力パラメータに従って、ＵＥのための免許不要スペクトルセルを設定するようにさらに構成され、
通知モジュール２５は、ＵＥが、主基地局及び第２基地局により設定される免許不要スペクトルセルを使用して、データ送信を実行できるように、免許不要スペクトル能力パラメータを第２基地局に送信し、ＵＥのために主基地局及び第２基地局により別々に設定される免許不要スペクトルセルをＵＥに通知するように構成されている。
【００２８】
本発明のこの実施形態において提供される免許不要スペクトル能力を報告するための装置によると、ＵＥは、ＵＥによりサポートされ得るとともに、各免許不要スペクトルの最大帯域幅値である免許不要スペクトルのリストを、ＵＥのサービング基地局に報告し、この方法を使用することにより、ＵＥのサービング基地局は、受信した免許不要スペクトル能力パラメータに従って、ＵＥのために免許不要スペクトルリソースを設定可能である。したがって、基地局は、異なるＵＥによりサポートされ得る免許不要スペクトル能力に従って免許不要スペクトルリソースを設定であり、基地局がユーザ装置のために直接免許不要スペクトルリソースを設定することを回避し、ＬＴＥ基地局デバイスがユーザ装置のために免許不要スペクトルリソースを直接設定する場合には、ユーザ装置がユーザ装置に割り当てられたスペクトルリソースを使用できないということが生じ得、これにより、ユーザ装置のデータ送信性能に悪影響を与えるという問題を解決する。
【００２９】
本発明の実施形態は、免許不要スペクトル能力を報告するための方法を提供する。方法のインタラクション処理が図４に示されており、以下を特に含む。
【００３０】
４０１：ＵＥは、免許不要スペクトル能力パラメータを、ＵＥのサービング基地局に報告する。
【００３１】
免許不要スペクトル能力パラメータは、ＵＥによりサポートされる免許不要スペクトルに関する情報を示すために使用され、情報は、ＵＥによりサポートされる免許不要スペクトルのリストと、各免許不要スペクトルの最大帯域幅値を含んでいる。
【００３２】
ＵＥは、アップリンクＲＲＣメッセージを使用して、免許不要スペクトル能力パラメータをサービング基地局に送信するか、又はＭＡＣレイヤメッセージを使用して、免許不要スペクトル能力パラメータをサービング基地局に送信するか、又はＰＨＹレイヤメッセージを使用して、免許不要スペクトル能力パラメータをサービング基地局に送信する。
【００３３】
加えて、ＵＥの免許不要スペクトル能力パラメータは、ＵＥによりサポートされ得るサービングセルにより同時に使用され得る免許不要スペクトルの数量、ＵＥによりサポートされ得るサービングセルにより同時に使用され得る免許不要スペクトル及び免許されたスペクトルの数量、ＵＥによりサポートされ得るサービングセルにより使用され得る免許不要スペクトルのスペクトル範囲、ＵＥによりサポートされ得るサービングセルにより使用され得る免許不要スペクトル及び免許されたスペクトルのスペクトル範囲、及びＵＥによりサポートされ得るサービングセルにより使用され得るデュプレックス・モードをさらに含んでいる。
【００３４】
加えて、ＵＥが免許不要スペクトル能力パラメータを報告する様式は、ＵＥは、免許不要スペクトル能力パラメータを直接サービング基地局に報告してよく、又はＵＥは最初にその免許不要スペクトル能力をコアネットワークに報告し、次いでコアネットワークが免許不要スペクトル能力をサービング基地局に通知してもよく、又はサービング基地局が動的にＵＥの免許不要スペクトル能力を照会し、対応するクエリメッセージを受信した後、ＵＥがＵＥの免許不要スペクトル能力をサービング基地局に報告してもよい。加えて、ＵＥが現在のサービング基地局から新たなサービング基地局へハンドオーバする場合には、ソースサービング基地局は、ソースサービング基地局が得た免許不要スペクトル能力を、ＵＥの新たなサービング基地局へ直接通知してもよい。
【００３５】
本発明のこの実施形態において提供される免許不要スペクトル能力を報告するための方法において、ＵＥのサービング基地局が、受信した免許不要スペクトル能力パラメータに従って、ＵＥのために免許不要スペクトルリソースを設定できるように、ＵＥによりサポートされ得るとともに各免許不要スペクトルの最大帯域幅値である免許不要スペクトルのリストを、ＵＥのサービング基地局に報告する。したがって、基地局は、異なるＵＥによりサポートされ得る免許不要スペクトル能力に従って免許不要スペクトルリソースを設定であり、基地局がユーザ装置のために直接免許不要スペクトルリソースを設定することを回避し、ＬＴＥ基地局デバイスがユーザ装置のために免許不要スペクトルリソースを直接設定する場合には、ユーザ装置がユーザ装置に割り当てられたスペクトルリソースを使用できないということが生じ得、これにより、ユーザ装置のデータ送信性能に悪影響を与えるという問題を解決する。
【００３６】
さらに、本発明の実施形態の実施様式において、免許不要スペクトル能力パラメータに従って、基地局により、ＵＥのために免許不要スペクトルサービングセルを設定する方法が提供される。方法の、方法処理が図５に示されており、以下を含む。
【００３７】
５０１：免許不要スペクトル能力パラメータ内の免許不要スペクトルリストに従って、基地局は、免許不要スペクトルリスト内の少なくとも１つのスペクトルを選択する。
【００３８】
ＵＥのすべての免許不要スペクトルは、ＵＥの使用許可、ＵＥのサービング基地局のカバーエリアにおける免許不要スペクトルなどの要素によって決定され得る。
【００３９】
５０２：基地局は、免許不要スペクトル能力パラメータ内の免許不要スペクトルの最大帯域幅値以下の選択された免許不要スペクトルの帯域幅値をセットする。
【００４０】
ＵＥによりサポートされ得るスペクトル帯域幅は制限されている。ＵＥのために超過するスペクトル帯域幅が設定された場合には、ＵＥは、ＵＥに割り当てられたスペクトル帯域幅に対して到達可能なデータ伝送速度を完全には使用できず、帯域幅の無駄が生じることになる。したがって、スクリーニングにより取得される免許不要スペクトルの帯域幅値は、ＵＥによりサポートされ得る免許不要スペクトルの最大帯域幅値以下の値に設定され得る。
【００４１】
５０３：基地局は、ＵＥによりサポートされ得るサービングセルにより同時に使用され得る免許不要スペクトルの数量に従って、及びＵＥによりサポートされ得るサービングセルにより同時に使用され得る免許不要スペクトル及び免許されたスペクトルの数量に従って、適切な免許不要スペクトルの数量を選択し、数量は、免許不要スペクトル能力パラメータ内にある。
【００４２】
適切な免許不要スペクトルの数量は、同時に使用され得る免許不要スペクトルの数量、及び同時に使用され得る免許不要スペクトル及び免許されたスペクトルの数量以下である。
【００４３】
ＵＥは、複数の免許不要スペクトル及び複数の免許されたスペクトルをサポートし得、複数の免許不要スペクトルは、ＵＥのサービングセルにより同時に使用され得る。確かに、異なるＵＥの性能の限界の点から見て、ＵＥがそのサービングセルに同時使用を許容するスペクトルの数量は、それぞれ異なっている。したがって、基地局は、基地局が、異なるＵＥのサポート状態に従って適切なスペクトルの数量を設定できるように、ＵＥによりサポートされ得るサービングセルにより同時に使用され得る免許不要スペクトル及び免許されたスペクトルの数量が通知され得る。
【００４４】
５０４：基地局は、ＵＥによりサポートされ得るサービングセルにより使用され得る免許不要スペクトルのスペクトル範囲に従って、及び、ＵＥによりサポートされ得るサービングセルにより使用され得る免許不要スペクトル及び免許されたスペクトルのスペクトル範囲に従って、適切なスペクトル範囲を有する免許不要スペクトルを選択し、スペクトル範囲は、免許不要スペクトル能力パラメータ内にある。
【００４５】
異なるＵＥによりサポートされ得る免許不要スペクトルのスペクトル範囲は異なっており、また異なるＵＥによりサポートされ得る免許不要スペクトル及び免許されたスペクトルの範囲も異なっている。したがって、非常に広いスパンがＵＥのために設定されたスペクトル間にあるならば、ＵＥは設定されたスペクトルを通常使用することができない。したがって、ＵＥのために免許不要スペクトルセルを設定する場合には、基地局は特定の周波数帯域の範囲内で免許不要スペクトルを選択する必要がある。
【００４６】
５０５：基地局は、ＵＥによりサポートされ得るサービングセルにより使用され得るデュプレックス・モードに従って、適切なデュプレックス・モードを選択し、デュプレックス・モードは、免許不要スペクトル能力パラメータにある。
【００４７】
ＵＥによりサポートされる免許不要スペクトルサービングセルは、ＴＤＤ、ＦＤＤ、ＦＤＤ  ＤＬ、ＦＤＤ  ＵＬ、及び半二重ＦＤＤの１つ又は複数を含む多数のデュプレックス・モードを有し得、ＴＤＤは、ＵＥによりサポートされ得るＴＤＤアップリンク−ダウンリンク・コンフィグレーションも含み得、ＴＤＤアップリンク−ダウンリンク・コンフィグレーションは、７つの既存の構成の１つ又は複数であるか、又は新たなアップリンク−ダウンリンク・コンフィグレーションであってもよい。本発明のこの実施形態ではそれ以上の限定はされない。
【００４８】
５０６：基地局は、選択された免許不要スペクトルを、ＵＥのセカンダリセルとして決定し、セカンダリセルをＵＥの免許不要スペクトルサービングセルとして設定する。
【００４９】
免許不要スペクトルで設定されているサービングセルは、ＵＥのプライマリセルとしてではなく、ＵＥのセカンダリセルとしてのみ使用される。
【００５０】
加えて、本発明のこの実施形態において、方法処理の各ステップのシーケンスは、実用的な処理シーケンスではなく、方法の実装処理における単なる可能な処理シーケンスであることに留意すべきである。処理ステップの具体的なシーケンスについては、実際の状況に応じて並び替えられる。
【００５１】
本発明のこの実施形態の処理ステップは、本発明のソリューションの単なる実施様式であり、ステップのシーケンスは、実際の状況に応じて再配置しうることに特に留意すべきである。本発明のこの実施形態は、それ以上の限定はしない。
【００５２】
この実施様式において、ＵＥにより報告された免許不要スペクトル能力パラメータの各パラメータに従って、ＵＥにより使用され得る全ての免許不要スペクトル上でスクリーニングが実行され、最終的に、スクリーニングにより取得される免許不要スペクトルが、ＵＥのセカンダリセルとして決定され、セカンダリセルはＵＥの免許不要スペクトルサービングセルとして設定される。この様式は、基地局がＵＥにより報告されるパラメータを使用することにより、ＵＥのために適切な免許不要スペクトルセルをよりよく設定できるように、免許不要スペクトル能力パラメータを受信した後どのように基地局が設定を実行するかに関する方法をさらに説明する。
【００５３】
さらに、本発明の実施形態の他の実施様式において、基地局によりＵＥのために免許不要スペクトルセルを設定するための他の方法が提供される。方法は図６に示されており、以下を特に含む。
【００５４】
６０１：ＵＥが二重接続状態である場合には、ＵＥの主基地局は、ＵＥにより送信された免許不要スペクトル能力パラメータを受信する。
【００５５】
二重接続状態は、ＵＥが２つ以上の基地局により同時にサーブされている状態をさす。ＵＥにより免許不要スペクトル能力パラメータを報告するための方法は、単一の基地局がサービスを提供している場合に採用される報告方法を使用し得る。
【００５６】
６０２：主基地局は、受信した免許不要スペクトル能力パラメータに従って、ＵＥのために免許不要スペクトルセルを設定し、免許不要スペクトル能力パラメータを第２基地局に送信する。
【００５７】
ＵＥのために免許不要スペクトルセルを設定するための方法は、ステップ５０１から５０６の方法を使用し得る。
【００５８】
６０３：主基地局は、第２基地局により送信された設定情報を受信する。
【００５９】
設定情報は、第２基地局が受信した免許不要スペクトル能力パラメータに従って、ＵＥのために設定する免許不要スペクトルセルに関する情報をさす。加えて、ＵＥのために免許不要スペクトルセルを設定するための方法も、ステップ５０１から５０６の方法を使用し得る。
【００６０】
６０４：主基地局は、ＵＥが、主基地局及び第２基地局により設定される免許不要スペクトルセルを使用して、データ送信を実行できるように、ＵＥのために主基地局及び第２基地局により別々に設定される免許不要スペクトルセルのＵＥに通知する。
【００６１】
主基地局及び第２基地局によりＵＥのために設定された免許不要スペクトルセルを、主基地局により、ＵＥに通知するための方法は、汎用パケット送信様式において、又は情報リクエストへの返信の様式において実行され得る。本発明のこの実施形態は、それ以上の限定はしない。
【００６２】
この実施様式において、ＵＥが２重接続状態である場合には、主基地局は、ＵＥにより送信された免許不要スペクトル能力パラメータを受信し、設定を実行し、その後、主基地局は、受信した免許不要スペクトル能力パラメータを第２基地局に送信し、第２基地局は、免許不要スペクトル能力パラメータに従って設定を実行し、関連する設定情報を主基地局に送信でき、主基地局は、主基地局によりＵＥのために実行された設定に関する情報をＵＥに通知し、第２基地局は、情報を設定する。この方法において、ＵＥが、設定された免許不要スペクトルセルに従ってデータ通信を実行できるように、二重接続状態におけるＵＥのための設定が完了し、他の場合における方法が、ＵＥの設定のために提供され、これにより、ＵＥのための免許不要スペクトルセルを設定するための実現性を向上させることができる。
【００６３】
実施様式の上述の説明に基づき、当業者は、本願発明が必要なハードウェアに加え、ソフトウェアにより、又はハードウェアのみにより実施され得ることを明確に理解し得る。ほとんどの状況において、前者が好適な実施様式である。そのような理解に基づき、ほとんど、又は部分的に従来技術に寄与する本発明の技術的ソリューションは、ソフトウェア製品の形態で実施することができる。コンピュータソフトウェア製品は、フロッピー（登録商標）ディスク、ハードディスク、又はコンピュータの光学ディスクなどの読み取り可能な記録媒体に格納され、コンピュータデバイス（パーソナルコンピュータ、サーバ、ネットワークデバイスなどであり得る）に指示し、本発明の実施形態において説明した方法を実行するためのいくつかの命令を含んでいる。
【００６４】
上記の説明は本発明の例示的な特定の実施様式にすぎないが、本発明の保護範囲を限定するものではない。本発明において開示された技術的範囲内で当業者によって行われるいかなる変形または置換も、本発明の保護範囲内に入るものとする。したがって、本発明の保護範囲は、特許請求の範囲の保護範囲に従うものとする。
【符号の説明】
【００６５】
11 報告モジュール
21 受信モジュール
22 設定モジュール
23 選択ユニット
24 設定ユニット
25 通知モジュール
【図１】
0006493888.tif 000002
【図２】
0006493888.tif 000003
【図３】
0006493888.tif 000004
【図４】
0006493888.tif 000005
【図５】
0006493888.tif 000006
【図６】
0006493888.tif 000007